(57)【要約】【課題】押圧操作スイッチの操作に係るユーザの身体的負担を軽減しながらも、安全性を損なうことなく、電池の長寿命化を図ることのできる携帯機を提供する。【解決手段】携帯機１を構成する制御部１８は、タクトスイッチ１２が操作されたことに基づいて、予め定められた接触感知期間、電池２０からタッチセンサ１４へ電源を供給する。また、制御部１８は、タッチセンサ１４によってユーザの接触を感知しており、かつ、タクトスイッチ１２が操作されていることに基づいて、そのタクトスイッチ１２に対応する動作指示を電波送信部１６から電波にて送信開始させる。さらに、制御部１８は、その送信開始後にタッチセンサ１４によってユーザの接触を感知している間は、タクトスイッチ１２が操作されていなくても、このタクトスイッチ１２に対応する動作指示の電波による送信を継続させる。【選択図】図１
2011199652.tif 000002
【特許請求の範囲】
【請求項１】
車両に搭載され、動作指示を電波にて受信している間、その受信している動作指示に従って動作する車両側装置に対し、動作指示を電波にて送信する携帯機であって、
前記動作指示に対応して設けられた押圧操作スイッチと、前記動作指示を電波にて送信する電波送信部と、前記押圧操作スイッチが操作されたことに基づいて、その押圧操作スイッチに対応する動作指示を前記電波送信部から電波にて送信させる制御部と、電源を供給する電池とを備える携帯機において、
前記電池から電源の供給を受けて動作し、ユーザの接触を感知するタッチセンサをさらに備え、
前記制御部は、
前記押圧操作スイッチが操作されたことに基づいて、予め定められた所定期間、前記電池から前記タッチセンサへ電源を供給し、
前記タッチセンサによってユーザの接触を感知しており、かつ、前記押圧操作スイッチが操作されていることに基づいて、その押圧操作スイッチに対応する動作指示を前記電波送信部から電波にて送信開始させ、
その送信開始後に前記タッチセンサによってユーザの接触を感知している間は、前記押圧操作スイッチが操作されていなくても、この押圧操作スイッチに対応する動作指示の電波による送信を継続させることを特徴とする携帯機。
【請求項２】
請求項１に記載の携帯機において、
前記タッチセンサは、ユーザが当該携帯機を手に持って前記押圧操作スイッチを操作する際に容易に接触することができる所定部位に設けられていることを特徴とする携帯機。
【請求項３】
請求項２に記載の携帯機において、
前記タッチセンサは、前記押圧操作スイッチの表面に設けられていることを特徴とする携帯機。
【請求項４】
請求項２に記載の携帯機において、
前記タッチセンサは、前記携帯機の筐体の前記押圧操作スイッチが設けられている面と交差する面に設けられており、
当該タッチセンサの長手方向位置は前記押圧操作スイッチの長手方向位置とほぼ同じであることを特徴とする携帯機。
【請求項５】
請求項２に記載の携帯機において、
前記タッチセンサは、前記携帯機の筐体の前記押圧操作スイッチが設けられている面と対向する面に設けられており、
当該タッチセンサの長手方向位置は前記押圧操作スイッチの長手方向位置とほぼ同じであることを特徴とする携帯機。
【発明の詳細な説明】
【技術分野】
【０００１】
本発明は、車両に搭載され、動作指示を電波にて受信している間、その受信している動作指示に従って動作する車両側装置に対し、動作指示を電波にて送信する携帯機に関する。
【背景技術】
【０００２】
従来、特許文献１に記載の技術が知られている。この特許文献１には、車載エンジンに対し始動指示を電波にて送信する携帯機が記載されており、この携帯機にはプッシュスイッチからなる２個の押圧操作スイッチが携帯機の筐体を挟んで対向配置されているとともに、これら２個の押圧操作スイッチは直列に配線されている。そして携帯機は、これら２個の押圧操作スイッチが押圧操作されて同時にオンとなった場合にのみ、車載エンジンに対し始動指示を電波にて送信する。これにより、押圧操作スイッチの誤操作を低減することができるようになる。
【０００３】
また従来、図７（ａ）に示されるようなリフトアップシート２００や、このリフトアップシート２００に対し、車室内に格納されているシートを車室外へ振り出す振出動作及び車室外へ振り出されているシートを車室内に格納する格納動作等の動作指示を電波にて送信する携帯機も知られている。こうした従来の携帯機１００を図７（ｂ）に示す。
【０００４】
この図７（ｂ）に示されるように、従来の携帯機１００は、リフトアップシート２００に対し格納動作を指示するための格納スイッチ１１２ａやリフトアップシート２００に対し振出動作を指示するための振出スイッチ１１２ｂを筐体１１０の同一面に備えている。これら格納スイッチ１１２ａ及び振出スイッチ１１２ｂは双方ともプッシュスイッチからなる押圧操作スイッチであり、ユーザによって押圧操作されることによりオンとされる。そして、格納スイッチ１１２ａあるいは振出スイッチ１１２ｂがユーザによって押圧操作され続けると、携帯機１００は、格納指示あるいは振出指示を電波にて送信し、リフトアップシート２００がその指示に従って動作する。一方、ユーザが格納スイッチ１１２ａあるいは振出スイッチ１１２ｂを離す（押圧操作を止める）と、携帯機１００は、格納指示あるいは振出指示の電波送信を停止し、リフトアップシート２００の動作も停止する。リフトアップシート２００が動作開始してから動作完了するまでに一定時間（例えば「４０［秒］程度）が必要であり、ユーザは、この一定時間、携帯機１００の格納スイッチ１１２ａあるいは振出スイッチ１１２ｂを押圧操作し続ける必要がある。
【０００５】
以下、携帯機１００及びリフトアップシート２００の動作について詳述する。図８（ａ）〜（ｃ）に実線にて示すように、ユーザが時刻ｔ１０１において格納スイッチ１１２ａを押圧操作すると、携帯機１００は略同時にリフトアップシート２００に対し格納指示を電波にて送信開始する。格納指示を電波にて受信したリフトアップシート２００は、時刻ｔ１０２において格納動作を開始し、時刻ｔ１０５において格納動作を完了する。リフトアップシート２００の格納動作が完了したことを認識したユーザは、時刻ｔ１０６において格納スイッチ１１２ａの押圧操作を止め、携帯機１００は、略同時にリフトアップシート２００に対する格納指示の電波送信を停止する。このように、ユーザは時刻ｔ１０１から時刻ｔ１０６までの一定時間、格納スイッチ１１２ａの押圧操作を継続することになる。
【０００６】
また、図８（ａ）〜（ｃ）に破線にて示すように、時刻ｔ１０３において、ユーザが格納スイッチ１１２ａの押圧操作を止めると、携帯機１００は略同時にリフトアップシート２００に対する格納指示の電波送信を停止し、これに伴い、リフトアップシート２００も格納動作を停止する。一方、時刻ｔ１０４において、ユーザが格納スイッチ１１２ａの押圧操作を再開すると、携帯機１００は略同時にリフトアップシート２００に対する格納指示の電波送信を再開し、これに伴い、リフトアップシート２００も格納動作を再開する。
【先行技術文献】
【特許文献】
【０００７】
【特許文献１】特開平６−２５２７８２号公報
【発明の概要】
【発明が解決しようとする課題】
【０００８】
このように、図７及び図８に示した従来技術では、ユーザは、リフトアップシート２００に対する動作指示を送信開始してからリフトアップシート２００の動作完了を認識するまで、押圧操作スイッチ（格納スイッチ１１２ａや振出スイッチ１１２ｂ等（タクトスイッチとも記載））の押圧操作を継続する必要がある。タクトスイッチの押圧操作を継続することは、健常者にとってはそれほど重い身体的負担ではないものの、リフトアップシート２００の主なユーザである障害者にとっては重い身体的負担であり、苦痛である。
【０００９】
そこで、タクトスイッチの操作に係るユーザの身体的負担を軽減するべく、携帯機１００のタクトスイッチを短時間（例えば「１秒」）押圧操作するだけで動作指示の電波送信を継続する仕様に変更することが考えられる。しかしながら、このような仕様に変更すると、次のような危険が生じるおそれもある。すなわち、リフトアップシート２００が携帯機１００からの動作指示に従って動作開始した後に、ユーザが携帯機１００を落下し紛失した場合において、リフトアップシート２００の動作を緊急に停止しようとしても、携帯機１００のタクトスイッチを操作することができないことから、リフトアップシート２００の動作を緊急に停止することができなくなってしまう。
【００１０】
また、タクトスイッチの操作に係るユーザの身体的負担を軽減するべく、携帯機１００のタクトスイッチとして、プッシュスイッチに代えて、ユーザの接触を感知するタッチセンサを採用することが考えられる。しかしながら、タッチセンサを常時駆動するために常時電源を供給する必要があることから、携帯機１００の電池寿命が短期間で尽きてしまう。
【００１１】
なお、車両側装置としてリフトアップシートについて説明したが、リフトアップシートに限らず、車両のスライドドアやパワーバックドア等、携帯機から動作指示を電波にて受信している間、その受信している動作指示に従って動作する車両側装置であれば、リフトアップシートと同様の事態が生じることが考えられる。
【００１２】
本発明は、上記実情に鑑みてなされたものであって、その目的は、押圧操作スイッチの操作に係るユーザの身体的負担を軽減しながらも、安全性を損なうことなく、電池の長寿命化を図ることのできる携帯機を提供することにある。
【課題を解決するための手段】
【００１３】
こうした目的を達成するため、請求項１に記載の発明では、車両に搭載され、動作指示を電波にて受信している間、その受信している動作指示に従って動作する車両側装置に対し、動作指示を電波にて送信する携帯機であって、動作指示に対応して設けられた押圧操作スイッチと、動作指示を電波にて送信する電波送信部と、押圧操作スイッチが操作されたことに基づいて、その押圧操作スイッチに対応する動作指示を電波送信部から電波にて送信させる制御部と、電源を供給する電池とを備える携帯機において、電池から電源の供給を受けて動作し、ユーザの接触を感知するタッチセンサをさらに備え、制御部は、押圧操作スイッチが操作されたことに基づいて、予め定められた所定期間、電池からタッチセンサへ電源を供給し、タッチセンサによってユーザの接触を感知しており、かつ、押圧操作スイッチが操作されていることに基づいて、その押圧操作スイッチに対応する動作指示を電波送信部から電波にて送信開始させ、その送信開始後にタッチセンサによってユーザの接触を感知している間は、押圧操作スイッチが操作されていなくても、この押圧操作スイッチに対応する動作指示の電波による送信を継続させることを特徴とする。
【００１４】
上記請求項１に記載の構成では、ユーザの接触を感知しており、かつ、押圧操作スイッチが操作されていることに基づいて、その押圧操作スイッチに対応する動作指示が電波にて送信開始される。そして、その送信開始後においては、ユーザの接触を感知している間は、押圧操作スイッチが操作されていなくても、この押圧操作スイッチに対応する動作指示の電波による送信が継続される。
【００１５】
そのため、動作指示の電波による送信を継続させるためには、ユーザは、タッチセンサに接触しているだけでよく、押圧操作スイッチの操作を継続しなくてもよい。そのため、押圧操作スイッチの操作を継続しなければならない従来技術と比較して、押圧操作スイッチの操作に係るユーザの身体的負担を軽減することができるようになる。
【００１６】
また、ユーザは、緊急時には、タッチセンサへの接触を止めることにより、動作指示の電波による送信を停止させることができるようになる。これにより、車両側装置は動作を停止する。したがって、車両側装置の動作を緊急に停止することができるようになり、上記仕様変形例とは異なり、安全性を損なうことがなくなる。
【００１７】
また、上記請求項１に記載の構成では、押圧操作スイッチが操作されたことに基づいて、予め定められた所定期間、電池からタッチセンサへ電源が供給される。そのため、タッチセンサに電池から電源を供給する期間を、ユーザが実際に携帯機から動作指示を電波にて送信しようとする期間に限定することができるようになる。そのため、タッチセンサを駆動するために常時電源を供給する上記課題の欄に記載の後者の変形例と比較して、電池の長寿命化を図ることができるようになる。
【００１８】
したがって、上記請求項１に記載の構成によれば、押圧操作スイッチの操作に係るユーザの身体的負担を軽減しながらも、安全性を損なうことなく、電池の長寿命化を図ることができるようになる。
【００１９】
上記請求項１に記載の構成において、請求項２に記載の発明のように、タッチセンサは、ユーザが当該携帯機を手に持って押圧操作スイッチを操作する際に容易に接触することができる所定部位に設けられていることが望ましい。これにより、ユーザは、当該携帯機を手に持って押圧操作スイッチを操作する際に容易にタッチセンサに接触することができるため、ユーザが当該携帯機を手に持って押圧操作スイッチを操作する際に容易にタッチセンサに接触することができない部位にタッチセンサを設ける場合と比較して、携帯機の操作性を向上することができるようになる。
【００２０】
具体的には、上記請求項２に記載の構成において、請求項３に記載の発明のように、タッチセンサは、押圧操作スイッチの表面に設けられていることが好ましい。これにより、ユーザは、携帯機による動作指示の電波送信を継続するに当たり、携帯機の押圧操作スイッチを操作した後そのままその押圧操作スイッチの表面に接触するだけでよい。
【００２１】
あるいは、上記請求項２に記載の構成において、請求項４に記載の発明のように、タッチセンサは、携帯機の筐体の押圧操作スイッチが設けられている面と交差する面に設けられており、当該タッチセンサの長手方向位置は押圧操作スイッチの長手方向位置とほぼ同じであることとしてもよい。
【００２２】
またあるいは、上記請求項２に記載の構成において、請求項５に記載の発明のように、タッチセンサは、携帯機の筐体の押圧操作スイッチが設けられている面と対向する面に設けられており、当該タッチセンサの長手方向位置は押圧操作スイッチの長手方向位置とほぼ同じであることとしてもよい。
【図面の簡単な説明】
【００２３】
【図１】本発明に係る携帯機の一実施の形態について、その構成を示すブロック図である。
【図２】本実施の形態の携帯機について、（ａ）は表面方向から見た外形を示す図であり、（ｂ）は側面方向から見た外形を示す図であり、（ｃ）は裏面方向から見た外形を示す図である。
【図３】本実施の形態の携帯機によって実行される動作指示送信処理について、その処理手順を示すフローチャートである。
【図４】（ａ）はタクトスイッチのオンオフ状態の遷移を示すタイミングチャートであり、（ｂ）はタッチセンサの動作状態を示すタイミングチャートであり、（ｃ）は、タッチセンサによるユーザの接触感知の有無の遷移を示すタイミングチャートであり、（ｅ）はリフトアップシートの動作状態の遷移を示すタイミングチャートである。
【図５】本発明に係る携帯機の変形例について、（ａ）は表面方向から見た外形を示す図、（ｂ）は側面方向から見た外形を示す図、（ｃ）は裏面方向から見た外形を示す模式図である。
【図６】本発明に係る携帯機の他の変形例について、（ａ）は表面方向から見た外形を示す図、（ｂ）は側面方向から見た外形を示す図、（ｃ）は裏面方向から見た外形を示す図である。
【図７】（ａ）はリフトアップシートの車室内への格納動作中の様子を示す図である。（ｂ）は従来の携帯機の外形を示す図である。
【図８】（ａ）はタクトスイッチのオンオフ状態の遷移を示すタイミングチャートであり、（ｂ）は電波送信状態の遷移を示すタイミングチャートであり、（ｃ）はリフトアップシートの動作状態の遷移を示すタイミングチャートである。
【発明を実施するための形態】
【００２４】
本発明に係る携帯機の一実施の形態について、図１〜図４を参照しつつ説明する。なお、本実施の形態では、携帯機１は、車両に搭載されたリフトアップシート２００（図７参照、以下単にシートとも記載する）に対し動作指示を電波にて送信する携帯機として具体化されており、携帯機１は、車室内に格納されているシート２００を車室外へ振り出す振出動作及び車室外へ振り出されているシート２００を車室内に格納する格納動作等の動作指示を電波にて送信する。
【００２５】
図１に示されるように、携帯機１は、格納スイッチ１２ａと、振出スイッチ１２ｂと、タッチセンサ１４と、電波送信部１６と、制御部１８と、電池２０とを、図１では図示しない筐体１０内に備えて構成されている。以下の説明では、格納スイッチ１２ａ及び振出スイッチ１２ｂを総称する際にはタクトスイッチ１２と記載する。
【００２６】
筐体１０は、図２（ａ）〜（ｃ）に示されるように、ほぼ板状に形成されている。ここで、筐体１０が有する６面のうちタクトスイッチ１２が設けられている平面を筐体１０の表面αとし、この表面αと対向する平面を筐体１０の裏面βとし、この表面αと交差する面を筐体１０の周面とする。また、この筐体１０の周面は、図２中で上方に位置する筐体１０の上端面γと、図２中で下方に位置する筐体１０の下端面δと、図２（ａ）中で左方に位置する筐体１０の側面ε１と、図２（ａ）中で右方に位置する筐体１０の側面ε２とからなる。
【００２７】
図２（ａ）〜（ｃ）に示すように、タクトスイッチ１２は、筐体１０の表面αに設けられており、タッチセンサ１４は、タクトスイッチ１２の表面に設けられている。また、タッチセンサ１４は、格納スイッチ１２ａの表面に設けられたタッチセンサ１４ａと、振出スイッチ１２ｂの表面に設けられたタッチセンサ１４ｂとを有して構成されており、これらを総称する際にはタッチセンサ１４と記載する。また、筐体１０は、タッチセンサ１４、電波送信部１６、及び制御部１８に電源を供給する電池（例えばリチウムコイン電池等）２０を当該筐体１０内に内蔵可能に構成されており、図１は、携帯機１の筐体１０に既に電池２０が内蔵された状態が図示されている。
【００２８】
格納スイッチ１２ａ及び振出スイッチ１２ｂは、図２（ａ）に示されるように、表面方向からみて略矩形状を有している。格納スイッチ１２ａは、リフトアップシート２００に対して上記格納動作を指示するための公知のプッシュスイッチであり、振出スイッチ１２ｂは、リフトアップシート２００に対して上記振出動作を指示するための公知のプッシュスイッチである。なお、本実施の形態では、これら格納スイッチ１２ａ及び振出スイッチ１２ｂは、筐体１０の表面αに、上方に偏って設けられているが、下方に偏って設けられてもよく、上方あるいは下方に偏らずに中央に配置されてもよく、上方あるいは下方に偏らずに均等に配置されてもよい。これら格納スイッチ１２ａ及び振出スイッチ１２ｂが特許請求の範囲に記載の押圧操作スイッチに相当する。
【００２９】
タクトスイッチ１２についてさらに詳述する。タクトスイッチ１２は、図１に示されるように、制御部１８の図示しないポートとＧＮＤ電位との間に介在している。タクトスイッチ１２は、当該タクトスイッチ１２の表面と筐体１０の表面αとが面一となるように、図示しないばねによって支持されている（図２（ｂ）参照）。
【００３０】
ユーザによって押圧操作されると、タクトスイッチ１２は筐体１０内部に向かって押し下げられ、制御部１８のポートとＧＮＤ電位とが電気的に接続される。これにより、制御部１８のポートには論理Ｌレベルに対応する電位が入力される。
【００３１】
ユーザによって押圧操作されていない場合、タクトスイッチ１２は筐体１０外部に向かって図示しないばねにて付勢されていることから、制御部１８のポートとＧＮＤ電位とは電気的に接続されない。そのため、制御部１８のポートには論理Ｌレベルに対応する電位は入力されない。
【００３２】
タッチセンサ１４（具体的にはタッチセンサ１４ａ及び１４ｂ）は、ユーザの接触を感知する公知のタッチセンサである。図２（ａ）に示されるように、タッチセンサ１４ａは格納スイッチ１２ａよりも一回り小さい略矩形状を有しており、タッチセンサ１４ｂは振出スイッチ１２ｂよりも一回り小さい略矩形状を有している。タッチセンサ１４は、ユーザが当該携帯機１を手に持ってタクトスイッチ１２を操作する際に容易に接触することができる所定部位として、タクトスイッチ１２の表面に設けられている。
【００３３】
また、タッチセンサ１４は、制御部１８に接続されているとともに、この制御部１８を介して電池２０に接続されている。タッチセンサ１４は、制御部１８によって電池２０から電源の供給を受けている間は、ユーザの接触を感知する接触感知動作を行い、この接触感知動作にてユーザの接触を感知すると、その感知した旨を示す信号を制御部１８に出力する。一方、タッチセンサ１４は、制御部１８によって電池から電源の供給を受けていない間は、接触感知動作を行なうことはできない。タッチセンサ１４が特許請求の範囲に記載のタッチセンサに相当する。
【００３４】
電波送信部１６は、例えば低周波数帯のＵＨＦ電波を送信する送信用アンテナを有して構成されており、制御部１８に接続されているとともに、この制御部１８を介して電池２０に接続されている。電波送信部１６は、制御部１８によって電池２０から電源の供給を受けている間は、上記振出指示や格納指示等の動作指示をシート２００に対し電波にて送信可能となる。一方、電波送信部１６は、制御部１８によって電池２０から電源の供給を受けていない間は、上記動作指示をシート２００に対し電波にて送信することはできない。また、本実施の形態では、電波送信部１６は、低周波数帯のＵＨＦ電波にて動作指示を送信するが、ＵＨＦ電波に限らず、高周波数帯のＲＦ電波にて動作指示を送信してもよい。また、ＵＨＦ電波やＲＦ電波に限らず、動作指示を送信する電波の周波数帯は適宜変更可能である。
【００３５】
制御部１８は、公知のＣＰＵ及び内蔵メモリを有して構成されるコンピュータであり、そのＣＰＵが内蔵メモリに記憶されているプログラムを実行することによって各種機能を実現している。以下、制御部１８の機能について詳述する。
【００３６】
制御部１８は、電池２０に接続され、この電池２０から電源の供給を受けて動作する。詳しくは、制御部１８は、格納スイッチ１２ａが操作される（詳しくは、格納スイッチ１２ａと接続されているポートに論理Ｌレベルに対応する電位が入力される）こと、あるいは、振出スイッチ１２ｂが操作される（詳しくは、振出スイッチ１２ｂと接続されているポートに論理Ｌレベルに対応する電位が入力される）ことにより起動し、スリープ状態から動作状態へ移行する。
【００３７】
スリープ状態から動作状態へ移行すると、制御部１８は、図示しない内部タイマーにて、その状態移行時を基準とした経過時間を計時開始するとともに、電池２０からタッチセンサ１４に予め定められた接触感知期間だけ電源を供給して上記接触感知動作を開始させる。上記接触感知動作中にユーザの接触を感知すると、タッチセンサ１４は、接触を感知した旨を示す信号を制御部１８に出力する。また、制御部１８は、スリープ状態から動作状態へ移行すると、その状態移行時を基準とした経過時間を計時開始するだけでなく、電池２０から電波送信部１６に上記接触感知期間だけ電源を供給してＵＨＦ電波を送信可能な状態とする。なお、本実施の形態では、上記接触感知期間として「６０〜５０秒」を採用する。この接触感知期間は、シート２００が振出動作あるいは格納動作を開始してから完了するまでに要する期間に余裕期間を加えた期間である。この接触感知期間が特許請求の範囲に記載の所定期間に相当する。
【００３８】
制御部１８は、タッチセンサ１４によってユーザの接触を感知しており、且つ、タクトスイッチ１２が操作されていることに基づいて、タクトスイッチ１２に対応する動作指示を電波送信部１６からＵＨＦ電波にて送信開始させる。そして、制御部１８は、その送信開始後にタッチセンサ１４によってユーザの接触を感知している間は、タクトスイッチ１２が操作されていなくても、このタクトスイッチ１２に対応する動作指示のＵＨＦ電波による送信を継続させる。
【００３９】
具体的には、制御部１８は、上記接触感知動作を開始したタッチセンサ１４からユーザの接触を感知した旨を示す信号が入力されている間に格納スイッチ１２ａが操作された場合、電波送信部１６からＵＨＦ電波にて振出指示を送信開始させ、その送信開始後にタッチセンサ１４からユーザの接触を感知した旨を示す信号が入力されている間は、格納スイッチ１２ａが操作されていなくても（すなわち、格納スイッチ１２ａの操作が継続されていなくても）、電波送信部１６からのＵＨＦ電波による振出指示の送信を継続させる。
【００４０】
あるいは、制御部１８は、上記接触感知動作を開始したタッチセンサ１４からユーザの接触を感知した旨を示す信号が入力されている間に振出スイッチ１２ｂが操作された場合、電波送信部１６からＵＨＦ電波にて格納指示を送信開始させ、その送信開始後にタッチセンサ１４からユーザの接触を感知した旨を示す信号が入力されている間は、振出スイッチ１２ｂが操作されていなくても（すなわち、振出スイッチ１２ｂの操作が継続されていなくても）、電波送信部１６からのＵＨＦ電波による格納指示の送信を継続させる。
【００４１】
また、制御部１８は、スリープ状態から動作状態へ移行すると、上記内部タイマーにて、その状態移行時を基準とした経過時間を計時開始することは既述の通りである。制御部１８は、上記接触感知期間よりも長く定められた動作期間経過時に、動作状態からスリープ状態へ移行する。なお、本実施の形態では、上記動作期間として「３００秒」を採用するがこれに限らない。上記接触感知期間よりも長く予め定められていればよい。
【００４２】
以上のように構成された携帯機１が実行する動作指示送信処理Ｓ１について図３を用いて説明する。なお、携帯機１は、タクトスイッチ１２が操作されたことに基づいてスリープ状態から動作状態に移行し、この動作状態移行直後に動作指示送信処理Ｓ１を実行開始する。
【００４３】
動作指示送信処理Ｓ１が開始されると、携帯機１は、ステップＳ１１の判断処理として、タッチセンサ１４によってユーザの接触を感知しており、かつ、タクトスイッチ１２が操作されているか否かを判断する。
【００４４】
ここで、タッチセンサ１４によってユーザの接触を感知していない、または、タクトスイッチ１２が操作されていないと判断した場合（ステップＳ１１の判断処理で「Ｎｏ」）、ユーザはタクトスイッチ１２を一旦操作したもののタクトスイッチ１２及びタッチセンサ１４への接触を即座にやめてしまったこと、または、ユーザはタクトスイッチ１２の操作をごく短時間で止めてしまったことを意味する。そのため、携帯機１は、タクトスイッチ１２に対応した動作指示をＵＨＦ電波にて送信することなく、上記動作期間経過時に、続くステップＳ１２の処理として、スリープ状態に移行し、当該動作指示送信処理Ｓ１を終了する。
【００４５】
一方、タッチセンサ１４によってユーザの接触を感知しており、かつ、タクトスイッチ１２が操作されていると判断した場合（ステップＳ１１の判断処理で「Ｙｅｓ」）、ユーザは、シート２００に対し携帯機１から動作指示を電波にて与えようとしていることを意味する。そのため、携帯機１は、続くステップＳ１３の処理として、タクトスイッチ１２に対応した動作指示をＵＨＦ電波にて送信開始する。
【００４６】
ステップＳ１３の処理として動作指示をＵＨＦ電波にて送信開始すると、携帯機１は、続くステップＳ１４の判断処理として、タッチセンサ１４によってユーザの接触が継続して感知されているか否かを判断する。
【００４７】
ここで、タッチセンサ１４によってユーザの接触が継続して感知されなかった場合（ステップＳ１４の判断処理で「Ｎｏ」）、携帯機１は、先のステップＳ１２の処理として、スリープ状態に移行し、当該動作指示送信処理Ｓ１を終了する。一方、上記ステップＳ１４の判断処理において、タッチセンサ１４によってユーザの接触が継続して感知された場合（ステップＳ１４の判断処理で「Ｙｅｓ」）、携帯機１は、続くステップＳ１５の判断処理として、携帯機１の動作状態への移行時から接触感知期間が経過したか否かを判断する。
【００４８】
ここで、接触感知期間が経過したと判断した場合（ステップＳ１５の判断処理で「Ｙｅｓ」）、携帯機１は、先のステップＳ１２の処理として、スリープ状態に移行し、当該動作指示送信処理Ｓ１を終了する。一方、上記ステップＳ１５の判断処理において、接触感知期間が経過したと判断しなかった場合（ステップＳ１５の判断処理で「Ｎｏ」）、携帯機１は、続くステップＳ１６の処理として、タクトスイッチ１２に対応した動作指示のＵＨＦ電波による送信を継続する。
【００４９】
タクトスイッチ１２に対応した動作指示のＵＨＦ電波による送信の継続した後、携帯機１は、先のステップＳ１４の判断処理を再度実行する。
【００５０】
以下、図４（ａ）〜（ｅ）を参照して、携帯機１及びリフトアップシート２００の動作例について説明する。なお、図４（ａ）〜（ｅ）に実線にて示す動作例では、ユーザは、時刻ｔ１１においてタクトスイッチ１２を操作し、リフトアップシート２００がタクトスイッチ１２に対応した動作を開始したことを認識した時刻ｔ１３においてタクトスイッチ１２の操作を止め、その操作を止めた後そのまま継続してタッチセンサ１４に接触するものとする。さらに、この動作例では、ユーザは、時刻ｔ１４において、リフトアップシート２００が動作完了したことを認識し、タッチセンサ１４への接触も止めるものとする。
【００５１】
タクトスイッチ１２が時刻ｔ１１において操作されると（図４（ａ）実線参照）、携帯機１を構成する制御部１８はスリープ状態から動作状態に移行する。動作状態に移行した制御部１８は、その動作状態移行時と略同時に、タッチセンサ１４に電池２０から電源を供給する（図４（ｂ）実線参照）。電池２０から電源を供給されたタッチセンサ１４は、電源供給開始時と略同時に、上記接触感知動作を開始し、ユーザの接触を感知した旨を示す信号を制御部１８に出力開始する（図４（ｃ）実線参照）。タッチセンサ１４によってユーザの接触を感知しており、且つ、タクトスイッチ１２が操作されていることから、制御部１８は、時刻ｔ１２において、タクトスイッチ１２に対応する動作指示のＵＨＦ電波による送信を電波送信部１６に開始させる（図４（ｄ）実線参照）。リフトアップシート２００は、時刻ｔ１３において、ＵＨＦ電波にて受信した動作指示に従って動作を開始し、時刻ｔ１４において、その動作を完了する（図４（ｅ）実線参照）。リフトアップシート２００の動作が完了したことを認識したユーザがタッチセンサ１４への接触を止めることから、タッチセンサ１４は、時刻ｔ１４において、ユーザの接触を感知した旨を示す信号の出力を停止する（図４（ｃ）実線参照）。そして、これに伴い、制御部１８は、タクトスイッチ１２に対応する動作指示のＵＨＦ電波による送信を電波送信部１６に停止させ（図４（ｄ）実線参照）、電池２０からタッチセンサ１４への電源の供給を停止し（図４（ｂ）実線参照）、スリープ状態へ移行する。
【００５２】
また、図４（ａ）〜（ｅ）に破線にて示す動作例では、ユーザは、リフトアップシート２００の動作が完了していないものの、時刻ｔ１５においてタッチセンサ１４への接触を止めたものとする。ユーザがタッチセンサ１４への接触を止めることから、タッチセンサ１４は、時刻ｔ１５において、ユーザの接触を感知した旨を示す信号の出力を停止する（図４（ｃ）破線参照）。そして、これに伴い、制御部１８は、タクトスイッチ１２に対応する動作指示のＵＨＦ電波による送信を電波送信部１６に停止させ（図４（ｄ）破線参照）、電池２０からタッチセンサ１４への電源の供給を停止し（図４（ｂ）破線参照）、スリープ状態へ移行する。
【００５３】
また、図４では図示を割愛するが、ユーザが、リフトアップシート２００の動作が完了した時刻ｔ１４以後もタッチセンサ１４への接触を継続した場合、制御部１８は時刻ｔ１１から上記接触感知期間経過後にスリープ状態に移行する。
【００５４】
これも、図４では図示を割愛するが、ユーザが、上記時刻ｔ１１から時刻ｔ１２までの間に、タッチセンサ１４に接触しているもののタクトスイッチ１２の操作を止めた場合、あるいは、タッチセンサ１４への接触自体を止めた場合、携帯機１を構成する制御部１８は時刻ｔ１１から上記動作期間経過後にスリープ状態に移行する。
【００５５】
以上説明した本実施の形態の携帯機１では、ユーザの接触を感知しており、かつ、タクトスイッチ１２が操作されていることに基づいて、そのタクトスイッチ１２に対応する動作指示が電波にて送信開始される。そして、その送信開始後においては、ユーザの接触を感知している間は、タクトスイッチ１２が操作されていなくても、このタクトスイッチ１２に対応する動作指示の電波による送信が継続される。そのため、動作指示の電波による送信を継続させるためには、ユーザは、タッチセンサ１４に接触しているだけでよく、タクトスイッチ１２の操作を継続しなくてもよい。そのため、タクトスイッチ１２の操作に係るユーザの身体的負担を軽減することができるようになる。
【００５６】
また、ユーザは、緊急時には、タクトスイッチ１２への接触を止めることにより、動作指示の電波による送信を停止させることができるようになる。これにより、シート２００は動作を停止する。したがって、シート２００の動作を緊急に停止することができるようになり、安全性を損なうことがなくなる。
【００５７】
また、本実施の形態の携帯機１では、タクトスイッチ１２が操作されたことに基づいて、上記接触感知期間、電池２０からタッチセンサ１４へ電源が供給される。そのため、タッチセンサ１４に電池２０から電源を供給する期間を、ユーザが実際に携帯機１から動作指示を電波にて送信しようとする期間に限定することができるようになる。そのため、電池の長寿命化を図ることができるようになる。
【００５８】
また、本実施の形態の携帯機１では、タッチセンサ１４は、ユーザが当該携帯機１を手に持ってタクトスイッチ１２を操作する際に容易に接触することができる所定部位として、タクトスイッチ１２の表面に設けられている。これにより、ユーザは、携帯機１による動作指示の電波送信を継続するに当たり、携帯機１のタクトスイッチ１２を操作した後そのままそのタクトスイッチ１２の表面に接触するだけでよいため、タクトスイッチ１２の操作に係るユーザの身体的負担を特に軽減することができるようになる。
【００５９】
なお、本発明に係る携帯機１は、上記実施の形態にて例示した構成に限定されるものではなく、本発明の趣旨を逸脱しない範囲において、種々に変形して実施することが可能である。すなわち、上記実施の形態を適宜変更した例えば次の形態として実施することもできる。
【００６０】
上記実施の形態では、タッチセンサ１４への接触を感知する接触感知動作を行なう上記接触感知期間（特許請求の範囲に記載の所定期間に相当）として、シート２００が振出動作あるいは格納動作を開始してから完了するまでに要する期間に余裕期間を加えた一定期間を採用していたが、このような予め定めた一定期間に限らない。シート２００を動作完了を示す電波を送信可能な構成とするとともに、携帯機１をシート２００から送信される動作完了を示す電波を受信可能な構成とし、制御部１８は、動作状態移行後、シート２００から動作完了を示す電波を受信するまで、電池２０からタッチセンサ１４に電源を供給して上記接触感知動作を行なわせてもよい。換言すれば、接触感知期間として、シート２００が動作完了するまでの期間を採用してもよい。
【００６１】
上記実施の形態では、図２（ａ）〜（ｃ）に示されるように、タッチセンサ１４は、タクトスイッチ１２の表面αに設けられていたが、これに限らない。図２（ａ）〜（ｃ）に対応する図として図５（ａ）〜（ｃ）に示すように、タッチセンサ１４ｃ及び１４ｄは、携帯機１ａの筐体１０のタクトスイッチ１２が設けられている表面αと交差する周面のうち側面ε１及びε２にそれぞれ設けられており、当該タッチセンサ１４ｃ及び１４ｄの側面ε１及びε２における長手方向位置はタクトスイッチ１２の表面αにおける長手方向位置とほぼ同じであることとしてもよい。また、タッチセンサ１４ｃ及び１４ｄの２つを設ける必要はなく、これらタッチセンサ１４ｃ及び１４ｄのいずれか一方のみ設けることとしてもよい。
【００６２】
また、図２（ａ）〜（ｃ）に対応する図として図６（ａ）〜（ｃ）に示すように、タッチセンサ１４ｅは、携帯機１ｂの筐体１０のタクトスイッチ１２が設けられている表面αと対向する裏面βに設けられており、当該タッチセンサ１４ｅの裏面βにおける長手方向位置はタクトスイッチ１２の表面αにおける長手方向位置とほぼ同じであることとしてもよい。
【００６３】
図２、図５、及び図６にそれぞれ示した構成例並びにその変形例のように、タッチセンサ１４は、ユーザが当該携帯機１を手に持ってタクトスイッチ１２を操作する際に自ずから接触する部位に設けられていればよい。
【００６４】
さらには、自ずから接触する部位にも限らない。図示を省略するが、タッチセンサは、携帯機の筐体のタクトスイッチが設けられている表面αと交差する周面のうち上端面γ及び下端面δの少なくともいずれか一方に設けてもよい。このように、タッチセンサ１４は、ユーザが当該携帯機１を手に持ってタクトスイッチ１２を操作する際に容易に接触することができる部位に設けられていればよい。
【００６５】
また、上記実施の形態及びその変形例では、車両側装置としてリフトアップシート２００を採用したが、これに限らない。他に例えば車両のスライドドアやパワーバックドア等、携帯機１から動作指示を電波にて受信している間、その受信している動作指示に従って動作する車両側装置であればよい。
【符号の説明】
【００６６】
１、１ａ、１ｂ、１００…携帯機、１０…筐体、１２…タクトスイッチ（押圧操作スイッチ）、１２ａ…格納スイッチ、１２ｂ…振出スイッチ、１４、１４ａ〜１４ｅ…タッチセンサ、１６…電波送信部、１８…制御部、２０…電池、２００…リフトアップシート
【図１】
2011199652.tif 000003
【図２】
2011199652.tif 000004
【図３】
2011199652.tif 000005
【図４】
2011199652.tif 000006
【図５】
2011199652.tif 000007
【図６】
2011199652.tif 000008
【図７】
2011199652.tif 000009
【図８】
2011199652.tif 000010